【手続補正書】
【提出日】平成16年11月17日(2004.11.17)
【手続補正１】
【補正対象書類名】明細書
【補正対象項目名】発明の名称
【補正方法】変更
【補正の内容】
【発明の名称】交流型プラズマディスプレイパネル及び交流型プラズマディスプレイパネルの駆動方法
【手続補正２】
【補正対象書類名】明細書
【補正対象項目名】特許請求の範囲
【補正方法】変更
【補正の内容】
【特許請求の範囲】
【請求項１】
所望の放電が形成可能な放電ギャップを有し、同一面に配置される放電セルの複数と、
前記放電ギャップよりも放電の形成が困難な非放電ギャップを有し、前記同一面に配置される非放電セルの複数とを備え、
前記放電ギャップは、少なくとも表示ラインに平行な方向において１つ以上の前記非放電ギャップを介して隣接して配置されていることを特徴とする、
交流型プラズマディスプレイパネル。
【請求項２】
請求項１に記載の交流型プラズマディスプレイパネルであって、
第１基板と、
前記第１基板と所定の距離を保って対面配置された第２基板と、
前記第１基板と前記第２基板との間の空間を複数の放電空間に区画する隔壁と、
前記表示ラインに平行に延びる帯状の第１部分及び前記第１部分に接続されると共に前記放電セルの側に張り出した第２部分からそれぞれが成り、前記第１基板側に配置された第１電極及び第２電極と、
前記第１及び第２電極の内の少なくとも一方を被覆する誘電体と、
それぞれが前記第２基板側に前記第１及び第２電極の各前記第１部分と立体交差する方向に配置されて、前記第１及び第２電極と共に前記放電セル又は前記非放電セルを規定する複数の帯状の第３電極とを更に備え、
前記放電ギャップは、前記第１及び第２電極の各前記第２部分の前記放電セル内で対峙する両エッジで以て形成されており、
前記非放電ギャップは、前記第１及び第２電極の各前記第１部分の内で前記非放電セルを介して対峙する部分の両エッジで以て形成されていることを特徴とする、
交流型プラズマディスプレイパネル。
【請求項３】
請求項２に記載の交流型プラズマディスプレイパネルであって、
前記第１及び第２電極の各前記第２部分は、前記放電ギャップを成す前記両エッジが前記第３電極の長手方向に沿うように配置されていることを特徴とする、
交流型プラズマディスプレイパネル。
【請求項４】
請求項２又は３に記載の交流型プラズマディスプレイパネルであって、
複数の前記第１及び第２電極が交互に配置され、且つ、
前記放電ギャップが前記表示ラインに垂直な方向において１つ以上の前記非放電ギャップを介して隣接して配置されていることを特徴とする、
交流型プラズマディスプレイパネル。
【請求項５】
請求項１に記載の交流型プラズマディスプレイパネルであって、
第１基板と、
前記第１基板と所定の距離を保って対面配置された第２基板と、
前記第１基板と前記第２基板との間の空間を複数の放電空間に区画する隔壁と、
前記表示ラインに平行に延びる帯状の第１部分及び前記第１部分に接続されると共に前記第１部分の長手方向に垂直な方向に対して前記第１部分を挟んで両側に張り出し、前記第１部分の前記長手方向に沿って延在する帯状の第２部分からそれぞれが成り、前記第１基板側に配置された第１電極及び第２電極と、
前記第１及び第２電極の内の少なくとも一方を被覆する誘電体と、
それぞれが前記第２基板側に前記第１及び第２電極の各前記第１部分と立体交差する方向に配置されて、前記第１及び第２電極と共に前記放電セル又は前記非放電セルを規定する複数の帯状の第３電極と、
少なくとも隣接する前記第２部分間の間隙と前記第３電極との立体交差点に配置されて前記非放電セルを規定する放電抑止体とを更に備え、
前記放電ギャップは、前記第１及び第２電極の各前記第２部分の内で前記放電セル内で対峙する部分の両エッジで以て形成されており、
前記非放電ギャップは、前記第１及び第２電極の各前記第２部分の内で前記非放電セル内で対峙する部分の両エッジで以て形成されていることを特徴とする、
交流型プラズマディスプレイパネル。
【請求項６】
請求項５に記載の交流型プラズマディスプレイパネルであって、
前記放電抑止体は前記第２基板の側に配置され、前記隔壁と同等の高さを有することを特徴とする、
交流型プラズマディスプレイパネル。
【請求項７】
請求項５に記載の交流型プラズマディスプレイパネルであって、
前記放電抑止体は前記第１基板の側に配置されており、
前記誘電体は、前記第１及び第２電極の内の少なくとも一方を被覆する電極被覆部と、前記放電抑止体を成す凸部とを備えることを特徴とする、
交流型プラズマディスプレイパネル。
【請求項８】
請求項５乃至７のいずれかに記載の交流型プラズマディスプレイパネルであって、
複数の前記第１及び第２電極が交互に配置され、且つ、
前記放電ギャップが前記表示ラインに垂直な方向において１つ以上の前記非放電ギャップを介して隣接して配置されていることを特徴とする、
交流型プラズマディスプレイパネル。
【請求項９】
請求項２乃至８のいずれかに記載の交流型プラズマディスプレイパネルであって、
当該交流型プラズマディスプレイパネルを前記第１又は第２基板側から見た場合に、前記放電セルは前記非放電セルよりも大きいことを特徴とする、
交流型プラズマディスプレイパネル。
【請求項１０】
請求項２乃至８のいずれかに記載の交流型プラズマディスプレイパネルであって、
当該交流型プラズマディスプレイパネルを前記第１又は第２基板側から見た場合に、前記放電セルと前記非放電セルとの大きさが等しいことを特徴とする、
交流型プラズマディスプレイパネル。
【請求項１１】
請求項１に記載の交流型プラズマディスプレイパネルであって、
第１基板と、
前記第１基板と所定の距離を保って対面配置された第２基板と、
前記第１基板と前記第２基板との間の空間を複数の放電空間に区画する隔壁と、
前記表示ラインに平行に延びる帯状の第１部分及び前記第１部分に接続されると共に前記第１部分の長手方向に垂直な方向に対して前記第１部分を挟んで両側に張り出した第２部分からそれぞれが成り、前記第１基板側に配置された第１電極及び第２電極と、
前記第１及び第２電極の内の少なくとも一方を被覆する誘電体と、
それぞれが前記第２基板側に前記第１及び第２電極の各前記第１部分と立体交差する方向に配置されて、前記第１及び第２電極と共に前記放電セル又は前記非放電セルを規定する複数の帯状の第３電極とを更に備え、
前記放電ギャップは、前記第１及び第２電極の各前記第２部分の前記放電セル内で対峙する両エッジで以て形成されており、
前記非放電ギャップは、前記第１及び第２電極の各前記第２部分の前記非放電セルを介して対峙する両エッジで以て形成されていることを特徴とする、
交流型プラズマディスプレイパネル。
【請求項１２】
請求項１１に記載の交流型プラズマディスプレイパネルであって、
複数の前記第１及び第２電極が交互に配置され、且つ、
前記放電ギャップが前記表示ラインに垂直な方向において１つ以上の前記非放電ギャップを介して隣接して配置されていることを特徴とする、
交流型プラズマディスプレイパネル。
【請求項１３】
請求項１１乃至１２のいずれかに記載の交流型プラズマディスプレイパネルであって、
前記隔壁は、隣接する前記第３電極間を区切るように前記第３電極の長手方向に沿って配置された複数本の帯状の隔壁から成り、
隣接する２本の前記隔壁の間隔は、前記放電セルを区画する部分が前記非放電セルを区画する部分よりも広いことを特徴とする、
交流型プラズマディスプレイパネル。
【請求項１４】
請求項２乃至１３のいずれかに記載の交流型プラズマディスプレイパネルであって、前記第１及び第２部分は不透明な導電性材料から成り、前記第２部分は開口を有することを特徴とする、交流型プラズマディスプレイパネルにおいて、
複数の前記第１及び第２電極が交互に配置され、且つ、前記放電ギャップが前記表示ラインに垂直な方向において１つ以上の前記非放電ギャップを介して隣接して配置された交流型プラズマディスプレイパネルの駆動方法であって、
前記第１部分を挟んで一方の側に配置された前記放電セルと他方の側に配置された前記放電セルとにおいて同時に放電を形成しないことを特徴とする、
交流型プラズマディスプレイパネルの駆動方法。
【手続補正３】
【補正対象書類名】明細書
【補正対象項目名】００１５
【補正方法】変更
【補正の内容】
【００１５】
Ａ．電極配列
ＡＣ−ＰＤＰ１０１では、１対の行電極対１０４，１０５に所定の電圧を印加すれば、列電極１０８に印加する電圧を制御して赤色，緑色，青色の各発光セルを点灯させることができる。即ち、１対の行電極１０４，１０５は１本の表示ラインに対応している。
【手続補正４】
【補正対象書類名】明細書
【補正対象項目名】００５６
【補正方法】削除
【補正の内容】
【手続補正５】
【補正対象書類名】明細書
【補正対象項目名】００５７
【補正方法】変更
【補正の内容】
【００５７】
（５）請求項５に記載の発明に係る交流型プラズマディスプレイパネルは、請求項１に記載の交流型プラズマディスプレイパネルであって、第１基板と、前記第１基板と所定の距離を保って対面配置された第２基板と、前記第１基板と前記第２基板との間の空間を複数の放電空間に区画する隔壁と、前記表示ラインに平行に延びる帯状の第１部分及び前記第１部分に接続されると共に前記第１部分の長手方向に垂直な方向に対して前記第１部分を挟んで両側に張り出し、前記第１部分の前記長手方向に沿って延在する帯状の第２部分からそれぞれが成り、前記第１基板側に配置された第１電極及び第２電極と、前記第１及び第２電極の内の少なくとも一方を被覆する誘電体と、それぞれが前記第２基板側に前記第１及び第２電極の各前記第１部分と立体交差する方向に配置されて、前記第１及び第２電極と共に前記放電セル又は前記非放電セルを規定する複数の帯状の第３電極と、少なくとも隣接する前記第２部分間の間隙と前記第３電極との立体交差点に配置されて前記非放電セルを規定する放電抑止体とを更に備え、前記放電ギャップは、前記第１及び第２電極の各前記第２部分の内で前記放電セル内で対峙する部分の両エッジで以て形成されており、前記非放電ギャップは、前記第１及び第２電極の各前記第２部分の内で前記非放電セル内で対峙する部分の両エッジで以て形成されていることを特徴とする。
【手続補正６】
【補正対象書類名】明細書
【補正対象項目名】００５８
【補正方法】削除
【補正の内容】
【手続補正７】
【補正対象書類名】明細書
【補正対象項目名】００５９
【補正方法】変更
【補正の内容】
【００５９】
（６）請求項６に記載の発明に係る交流型プラズマディスプレイパネルは、請求項５に記載の交流型プラズマディスプレイパネルであって、前記放電抑止体は前記第２基板の側に配置され、前記隔壁と同等の高さを有することを特徴とする。
【手続補正８】
【補正対象書類名】明細書
【補正対象項目名】００６０
【補正方法】変更
【補正の内容】
【００６０】
（７）請求項７に記載の発明に係る交流型プラズマディスプレイパネルは、請求項５に記載の交流型プラズマディスプレイパネルであって、前記放電抑止体は前記第１基板の側に配置されており、前記誘電体は、前記第１及び第２電極の内の少なくとも一方を被覆する電極被覆部と、前記放電抑止体を成す凸部とを備えることを特徴とする。
【手続補正９】
【補正対象書類名】明細書
【補正対象項目名】００６１
【補正方法】削除
【補正の内容】
【手続補正１０】
【補正対象書類名】明細書
【補正対象項目名】００６２
【補正方法】削除
【補正の内容】
【手続補正１１】
【補正対象書類名】明細書
【補正対象項目名】００６３
【補正方法】変更
【補正の内容】
【００６３】
（８）請求項８に記載の発明に係る交流型プラズマディスプレイパネルは、請求項５乃至７のいずれかに記載の交流型プラズマディスプレイパネルであって、複数の前記第１及び第２電極が交互に配置され、且つ、前記放電ギャップが前記表示ラインに垂直な方向において１つ以上の前記非放電ギャップを介して隣接して配置されていることを特徴とする。
【手続補正１２】
【補正対象書類名】明細書
【補正対象項目名】００６４
【補正方法】変更
【補正の内容】
【００６４】
（９）請求項９に記載の発明に係る交流型プラズマディスプレイパネルは、請求項２乃至８のいずれかに記載の交流型プラズマディスプレイパネルであって、当該交流型プラズマディスプレイパネルを前記第１又は第２基板側から見た場合に、前記放電セルは前記非放電セルよりも大きいことを特徴とする。
【手続補正１３】
【補正対象書類名】明細書
【補正対象項目名】００６５
【補正方法】削除
【補正の内容】
【手続補正１４】
【補正対象書類名】明細書
【補正対象項目名】００６６
【補正方法】削除
【補正の内容】
【手続補正１５】
【補正対象書類名】明細書
【補正対象項目名】００６７
【補正方法】変更
【補正の内容】
【００６７】
（１０）請求項１０に記載の発明に係る交流型プラズマディスプレイパネルは、請求項２乃至８のいずれかに記載の交流型プラズマディスプレイパネルであって、当該交流型プラズマディスプレイパネルを前記第１又は第２基板側から見た場合に、前記放電セルと前記非放電セルとの大きさが等しいことを特徴とする。
【手続補正１６】
【補正対象書類名】明細書
【補正対象項目名】００６８
【補正方法】変更
【補正の内容】
【００６８】
（１１）請求項１１に記載の発明に係る交流型プラズマディスプレイパネルは、請求項１に記載の交流型プラズマディスプレイパネルであって、第１基板と、前記第１基板と所定の距離を保って対面配置された第２基板と、前記第１基板と前記第２基板との間の空間を複数の放電空間に区画する隔壁と、前記表示ラインに平行に延びる帯状の第１部分及び前記第１部分に接続されると共に前記第１部分の長手方向に垂直な方向に対して前記第１部分を挟んで両側に張り出した第２部分からそれぞれが成り、前記第１基板側に配置された第１電極及び第２電極と、前記第１及び第２電極の内の少なくとも一方を被覆する誘電体と、それぞれが前記第２基板側に前記第１及び第２電極の各前記第１部分と立体交差する方向に配置されて、前記第１及び第２電極と共に前記放電セル又は前記非放電セルを規定する複数の帯状の第３電極とを更に備え、前記放電ギャップは、前記第１及び第２電極の各前記第２部分の前記放電セル内で対峙する両エッジで以て形成されており、前記非放電ギャップは、前記第１及び第２電極の各前記第２部分の前記非放電セルを介して対峙する両エッジで以て形成されていることを特徴とする。
【手続補正１７】
【補正対象書類名】明細書
【補正対象項目名】００６９
【補正方法】変更
【補正の内容】
【００６９】
（１２）請求項１２に記載の発明に係る交流型プラズマディスプレイパネルは、請求項１１に記載の交流型プラズマディスプレイパネルであって、複数の前記第１及び第２電極が交互に配置され、且つ、前記放電ギャップが前記表示ラインに垂直な方向において１つ以上の前記非放電ギャップを介して隣接して配置されていることを特徴とする。
【手続補正１８】
【補正対象書類名】明細書
【補正対象項目名】００７０
【補正方法】削除
【補正の内容】
【手続補正１９】
【補正対象書類名】明細書
【補正対象項目名】００７１
【補正方法】削除
【補正の内容】
【手続補正２０】
【補正対象書類名】明細書
【補正対象項目名】００７２
【補正方法】削除
【補正の内容】
【手続補正２１】
【補正対象書類名】明細書
【補正対象項目名】００７３
【補正方法】変更
【補正の内容】
【００７３】
（１３）請求項１３に記載の発明に係る交流型プラズマディスプレイパネルは、請求項１１乃至１２のいずれかに記載の交流型プラズマディスプレイパネルであって、前記隔壁は、隣接する前記第３電極間を区切るように前記第３電極の長手方向に沿って配置された複数本の帯状の隔壁から成り、隣接する２本の前記隔壁の間隔は、前記放電セルを区画する部分が前記非放電セルを区画する部分よりも広いことを特徴とする。
【手続補正２２】
【補正対象書類名】明細書
【補正対象項目名】００７４
【補正方法】削除
【補正の内容】
【手続補正２３】
【補正対象書類名】明細書
【補正対象項目名】００７５
【補正方法】削除
【補正の内容】
【手続補正２４】
【補正対象書類名】明細書
【補正対象項目名】００７６
【補正方法】削除
【補正の内容】
【手続補正２５】
【補正対象書類名】明細書
【補正対象項目名】００７７
【補正方法】削除
【補正の内容】
【手続補正２６】
【補正対象書類名】明細書
【補正対象項目名】００７８
【補正方法】削除
【補正の内容】
【手続補正２７】
【補正対象書類名】明細書
【補正対象項目名】００７９
【補正方法】削除
【補正の内容】
【手続補正２８】
【補正対象書類名】明細書
【補正対象項目名】００８０
【補正方法】削除
【補正の内容】
【手続補正２９】
【補正対象書類名】明細書
【補正対象項目名】００８１
【補正方法】削除
【補正の内容】
【手続補正３０】
【補正対象書類名】明細書
【補正対象項目名】００８２
【補正方法】変更
【補正の内容】
【００８２】
（１４）請求項１４に記載の発明に係る交流型プラズマディスプレイパネルの駆動方法は、請求項２乃至請求項１３のいずれかに記載の交流型プラズマディスプレイパネルであって、前記第１及び第２部分は不透明な導電性材料から成り、前記第２部分は開口を有することを特徴とする、交流型プラズマディスプレイパネルにおいて、複数の前記第１及び第２電極が交互に配置され、且つ、前記放電ギャップが前記表示ラインに垂直な方向において１つ以上の前記非放電ギャップを介して隣接して配置された交流型プラズマディスプレイパネルの駆動方法であって、前記第１部分を挟んで一方の側に配置された前記放電セルと他方の側に配置された前記放電セルとにおいて同時に放電を形成しないことを特徴とする。
【手続補正３１】
【補正対象書類名】明細書
【補正対象項目名】０１５４
【補正方法】変更
【補正の内容】
【０１５４】
なお、図１７に図示した誘電体層１１６の凸部１１６Ｔの形状寸法とは違えて、図１８に示すＡＣ−ＰＤＰ５７Ａのように、誘電体層１０６Ａの凸部１１６ＴＡ（保護膜１０７を有さない場合には誘電体層１１６の凸部１１６Ｔ）が背面ガラス基板１０３側の蛍光体層１０９に当接する形態としても良い。かかる場合には、凸部１１６Ｔ上の保護膜１０７ないしは誘電体層１０６Ａの凸部１１６ＴＡが隔壁１０に接しないようにそれの形状寸法を設定する。
【手続補正３２】
【補正対象書類名】明細書
【補正対象項目名】０１６４
【補正方法】変更
【補正の内容】
【０１６４】
維持パルスＶｓａ，Ｖｓｂの印加により、時刻ｔ１，ｔ６で行電極Ｙi，Ｘi+1で規定される放電セルＣにおいて維持放電が生じ、時刻ｔ２，ｔ５において行電極Ｘi+1，Ｙi+1で規定される放電セルＣに維持放電が形成される。また、時刻ｔ３，ｔ５では行電極Ｘi，Ｙiで規定される放電セルＣにおいて維持放電が生じる。なお、時刻ｔ１，ｔ７において、行電極Ｘiと行電極Ｙi-1（行電極Ｙi+1と同じ電圧が供給される）で以て規定される放電セルＣ及び行電極Ｙi+1と行電極Ｘi+2（行電極Ｘiと同じ電圧が供給される）とで以て規定される放電セルＣのそれぞれで維持放電が生じる。
【手続補正３３】
【補正対象書類名】明細書
【補正対象項目名】０１７４
【補正方法】変更
【補正の内容】
【０１７４】
＜その他の変形例＞
上述のＡＣ−ＰＤＰ５１等では、透明電極Ｘｔ，Ｙｔ等を四角形としたが、上述の放電ギャップＤＧを形成可能な形状であれば他の形状であっても構わない。かかる点は、ＡＣ−ＰＤＰ５８，５８Ａの張り出し電極Ｘｋ，Ｙｋについても同様である。
【手続補正３４】
【補正対象書類名】明細書
【補正対象項目名】０１８１
【補正方法】削除
【補正の内容】
【手続補正３５】
【補正対象書類名】明細書
【補正対象項目名】０１８２
【補正方法】変更
【補正の内容】
【０１８２】
（５）請求項５に係る発明によれば、いわゆる３電極面放電型の交流型プラズマディスプレイパネルにおいて上記（１）の効果を得ることができる。
【手続補正３６】
【補正対象書類名】明細書
【補正対象項目名】０１８３
【補正方法】削除
【補正の内容】
【手続補正３７】
【補正対象書類名】明細書
【補正対象項目名】０１８４
【補正方法】変更
【補正の内容】
【０１８４】
（６）請求項６に係る発明によれば、放電抑止体と隔壁とを一括形成できる。このため、製造工程数の増大及び製造工程の複雑化を招くことなく、放電抑止体を形成することができる。
【手続補正３８】
【補正対象書類名】明細書
【補正対象項目名】０１８５
【補正方法】変更
【補正の内容】
【０１８５】
（７）請求項７に係る発明によれば、第１基板と第２基板との貼り合わせ工程において、放電抑止体である凸部が、隔壁が区画する複数の放電空間への案内（ガイド）となるので、第１基板と第２基板との位置ずれが生じにくいという効果を奏する。
【手続補正３９】
【補正対象書類名】明細書
【補正対象項目名】０１８６
【補正方法】削除
【補正の内容】
【手続補正４０】
【補正対象書類名】明細書
【補正対象項目名】０１８７
【補正方法】削除
【補正の内容】
【手続補正４１】
【補正対象書類名】明細書
【補正対象項目名】０１８８
【補正方法】変更
【補正の内容】
【０１８８】
（８）請求項８に係る発明によれば、交流型プラズマディスプレイパネルの全面において上記（５）乃至（７）のいずれかの効果を得ることができる。
【手続補正４２】
【補正対象書類名】明細書
【補正対象項目名】０１８９
【補正方法】変更
【補正の内容】
【０１８９】
（９）請求項９に係る発明によれば、同一のパネル面積及び解像度を有するときには、放電セル及び非放電セルの大きさが等しい交流型プラズマディスプレイパネル（請求項１０に係る交流型プラズマディスプレイパネル）よりも表示面積の利用率が高いので、発光効率をより向上することができる。
更に、パネル面積及び放電セルの大きさを請求項１０に係る交流型プラズマディスプレイパネルと同一とするときには、より高解像度の交流型プラズマディスプレイパネルを実現することができる。
【手続補正４３】
【補正対象書類名】明細書
【補正対象項目名】０１９０
【補正方法】削除
【補正の内容】
【手続補正４４】
【補正対象書類名】明細書
【補正対象項目名】０１９１
【補正方法】削除
【補正の内容】
【手続補正４５】
【補正対象書類名】明細書
【補正対象項目名】０１９２
【補正方法】変更
【補正の内容】
【０１９２】
（１０）請求項１０に係る発明によれば、例えば隔壁を直線状に形成することができるので、従来の隔壁形成工程をそのまま適用することができ、欠けや折損等の発生が十分に抑制可能な隔壁を形成することができる。
【手続補正４６】
【補正対象書類名】明細書
【補正対象項目名】０１９３
【補正方法】変更
【補正の内容】
【０１９３】
（１１）請求項１１に係る発明によれば、いわゆる３電極面放電型の交流型プラズマディスプレイパネルにおいて上記（１）の効果を得ることができる。
【手続補正４７】
【補正対象書類名】明細書
【補正対象項目名】０１９４
【補正方法】変更
【補正の内容】
【０１９４】
（１２）請求項１２に係る発明によれば、交流型プラズマディスプレイパネルの全面において上記（１１）の効果を得ることができる。
【手続補正４８】
【補正対象書類名】明細書
【補正対象項目名】０１９５
【補正方法】削除
【補正の内容】
【手続補正４９】
【補正対象書類名】明細書
【補正対象項目名】０１９６
【補正方法】削除
【補正の内容】
【手続補正５０】
【補正対象書類名】明細書
【補正対象項目名】０１９７
【補正方法】削除
【補正の内容】
【手続補正５１】
【補正対象書類名】明細書
【補正対象項目名】０１９８
【補正方法】変更
【補正の内容】
【０１９８】
（１３）請求項１３に係る発明によれば、請求項１１の交流型プラズマディスプレイパネルにおいて、隣接する２本の隔壁と例えば第２基板とで以て形成されるＵ字型溝に蛍光体層を形成するときには、当該蛍光体層の非放電セル内の部分を同放電セル内の部分よりも厚くすることができる。これにより、放電セルで生じた放電による紫外線の内で非放電セル側へ放射される分を上記非放電セル内の蛍光体層で可視光に変換することができる。即ち、隔壁が直線状に配置された交流型プラズマディスプレイパネルと比較して、紫外線の利用効率を向上することができる。このとき、上記蛍光体層の厚さの違いに起因して、放電空間の内の非放電セルを構成する部分は同放電セルを構成する部分よりも狭いので、非放電セルでの放電の発生をより確実に防止可能であるという効果も得ることができる。
【手続補正５２】
【補正対象書類名】明細書
【補正対象項目名】０１９９
【補正方法】削除
【補正の内容】
【手続補正５３】
【補正対象書類名】明細書
【補正対象項目名】０２００
【補正方法】削除
【補正の内容】
【手続補正５４】
【補正対象書類名】明細書
【補正対象項目名】０２０１
【補正方法】削除
【補正の内容】
【手続補正５５】
【補正対象書類名】明細書
【補正対象項目名】０２０２
【補正方法】削除
【補正の内容】
【手続補正５６】
【補正対象書類名】明細書
【補正対象項目名】０２０３
【補正方法】削除
【補正の内容】
【手続補正５７】
【補正対象書類名】明細書
【補正対象項目名】０２０４
【補正方法】削除
【補正の内容】
【手続補正５８】
【補正対象書類名】明細書
【補正対象項目名】０２０５
【補正方法】削除
【補正の内容】
【手続補正５９】
【補正対象書類名】明細書
【補正対象項目名】０２０６
【補正方法】削除
【補正の内容】
【手続補正６０】
【補正対象書類名】明細書
【補正対象項目名】０２０７
【補正方法】変更
【補正の内容】
【０２０７】
（１４）請求項１４に係る発明によれば、第１及び第２電極に流れる瞬時電流を低減することができる。このため、第１及び第２電極の抵抗による電圧降下を抑制して、交流型プラズマディスプレイパネルの安定的な駆動を実現することができる。
【手続補正６１】
【補正対象書類名】図面
【補正対象項目名】図５
【補正方法】変更
【補正の内容】
【図５】
2000357463.tif 000001